(57)【要約】【課題】受信環境に応じた放送信号の雑音有無を高精度に判断できる放送受信装置を提供する。【解決手段】到来する放送電波を受信する受信アンテナによって受信された放送電波のＩＦ信号をＡＭ検波してＡＭ検波信号を取得するＡＭ検波部３１と、ＡＭ検波信号のノイズ成分を検出するＡＭノイズ検出部３２とを有する放送受信装置１であって、ＩＦ信号をＦＭ検波してＦＭ検波信号を取得するＦＭ検波部３３と、ＦＭ検波信号のノイズ成分を検出するＦＭノイズ検出部３４と、ＡＭノイズ検出部３２の検出結果及びＦＭノイズ検出部３４の検出結果に基づき、放送信号のノイズ状況を判断するノイズ判断部３５とを有する。【選択図】図２
2011188467.tif 000002
【特許請求の範囲】
【請求項１】
到来する放送電波を受信する受信部と、
この受信部によって受信された放送電波の放送信号をＡＭ検波してＡＭ検波信号を取得するＡＭ検波部と、
前記放送信号をＦＭ検波してＦＭ検波信号を取得するＦＭ検波部と、
前記ＡＭ検波部によって取得されたＡＭ検波信号及び前記ＦＭ検波部によって取得されたＦＭ検波信号に基づき、前記放送信号の雑音有無を判断する雑音判断部と
を有することを特徴とする放送受信装置。
【請求項２】
前記放送信号の雑音成分を低減する雑音低減処理を前記放送信号に対して実行する雑音低減部と、
前記雑音判断部によって判断された前記放送信号の雑音有無に基づき、前記雑音低減部を制御する制御部と
を有することを特徴とする請求項１記載の放送受信装置。
【請求項３】
前記ＡＭ検波信号の雑音成分を検出するＡＭ検波用雑音検出部と、
前記ＦＭ検波信号の雑音成分を検出するＦＭ検波用雑音検出部と
を有し、
前記雑音判断部は、
前記ＡＭ検波信号の雑音成分及び前記ＦＭ検波信号の雑音成分を同時検出したタイミングに応じて、当該放送信号内に基準レベル以上の雑音があると判断すると共に、前記ＡＭ検波信号の雑音成分又は前記ＦＭ検波信号の雑音成分の何れか一つのみを検出したタイミングに応じて、当該放送信号内に前記基準レベル未満の雑音があると判断することを特徴とする請求項２記載の放送受信装置。
【請求項４】
前記ＡＭ検波信号の雑音成分を検出するＡＭ検波用雑音検出部と、
前記ＦＭ検波信号の雑音成分を検出するＦＭ検波用雑音検出部と
を有し、
前記雑音判断部は、
前記ＡＭ検波信号の雑音成分及び前記ＦＭ検波信号の雑音成分を同時検出したタイミングに応じて、当該放送信号内に基準レベル以上の雑音があると判断すると共に、前記ＦＭ検波信号の雑音成分のみを検出したタイミングに応じて、当該放送信号内に前記基準レベル未満の雑音があると判断することを特徴とする請求項２記載の放送受信装置。
【請求項５】
前記制御部は、
前記雑音判断部によって前記放送信号内に前記基準レベル以上の雑音があると判断された場合に、前記放送信号の雑音成分を低減する調整レベルを所定レベル以上に設定し、前記所定レベル以上に設定した調整レベルに基づき、前記放送信号の雑音成分を低減する前記雑音低減処理を実行すると共に、
前記雑音判断部によって前記放送信号内に前記基準レベル未満の雑音があると判断された場合に、前記放送信号の雑音成分を低減する調整レベルを前記所定レベル未満に設定し、前記所定レベル未満に設定した調整レベルに基づき、前記放送信号の雑音成分を低減する前記雑音低減処理を実行すべく、前記雑音低減部を制御することを特徴とする請求項３又は４記載の放送受信装置。
【請求項６】
前記雑音低減部は、
前記放送信号の連続する信号区間の内、前記雑音成分を含む除去対象区間を除去し、この除去した区間を信号補間する補間処理を実行することで、前記放送信号の雑音成分を低減し、
前記制御部は、
前記雑音判断部によって前記放送信号内に前記基準レベル以上の雑音があると判断された場合に、前記除去対象区間を基準区間以上に設定する前記補間処理を実行すると共に、  前記雑音判断部によって前記放送信号内に前記基準レベル未満の雑音があると判断された場合に、前記除去対象区間を前記基準区間未満に設定する前記補間処理を実行すべく、前記雑音低減部を制御することを特徴とする請求項３又は４記載の放送受信装置。
【請求項７】
前記雑音低減部は、
前記放送信号の連続する信号区間の内、前記雑音成分を含む除去対象区間を除去し、この除去した区間を信号補間する補間処理を実行することで、前記放送信号の雑音成分を低減し、
前記制御部は、
前記雑音判断部によって前記放送信号内に前記基準レベル以上の雑音があると判断された場合に、当該補間処理の処理時間を基準時間以上に設定して前記補間処理を実行すると共に、
前記雑音判断部によって前記放送信号内に前記基準レベル未満の雑音があると判断された場合に、当該補間処理の処理時間を前記基準時間未満に設定して前記補間処理を実行すべく、前記雑音低減部を制御することを特徴とする請求項３又は４記載の放送受信装置。
【請求項８】
前記ＡＭ検波信号の位相が反転するタイミングを検知するタイミング検知部と、
前記タイミング検知部によって検知されたタイミングを含む所定期間において検波されたＦＭ検波信号に対して適用される所定の閾値を変更する閾値変更部と
をさらに有し、
前記ＦＭ検波用雑音検出部は、
前記ＦＭ検波信号の信号レベルと前記所定の閾値との比較結果に基づいて前記ＦＭ検波信号の雑音成分を検出することを特徴とする請求項３〜７の何れか一つに記載の放送受信装置。
【請求項９】
前記ＡＭ検波信号の位相が反転するタイミングを検知するタイミング検知部と、
前記タイミング検知部によって検知されたタイミングを含む所定期間において検波されたＦＭ検波信号の信号レベルを補正するＦＭ検波信号補正部と
をさらに有し、
前記ＦＭ検波用雑音検出部は、
前記ＦＭ検波信号補正部による補正後の信号レベルに基づいて前記ＦＭ検波信号の雑音成分を検出することを特徴とする請求項３〜７の何れか一つに記載の放送受信装置。
【請求項１０】
到来する放送電波を受信する受信ステップと、
この受信ステップによって受信された放送電波の放送信号をＡＭ検波してＡＭ検波信号を取得するＡＭ検波ステップと、
前記放送信号をＦＭ検波してＦＭ検波信号を取得するＦＭ検波ステップと、
前記ＡＭ検波ステップによって取得されたＡＭ検波信号及び前記ＦＭ検波ステップによって取得されたＦＭ検波信号に基づき、前記放送信号の雑音有無を判断する雑音判断ステップと
を含むことを特徴とする放送受信装置の雑音有無判断方法。
【発明の詳細な説明】
【技術分野】
【０００１】
本発明は、例えば、到来するラジオ放送やテレビ放送等の放送電波を受信する放送受信装置及び、放送受信装置の雑音有無判断方法に関する。
【背景技術】
【０００２】
従来、車両等に搭載された放送受信装置では、到来するラジオ放送やテレビ放送等の放送電波を受信し、この受信した放送電波の放送信号を車内スピーカから音響出力している。更に、放送受信装置では、搭載車両の移動に応じて放送電波の受信環境が変動することで受信する放送信号にノイズ成分が混入してしまう。そこで、従来の放送受信装置では、搭乗者に対する放送視聴性を確保するために、放送信号のノイズ成分を除去する機能が広く普及している。
【０００３】
例えば、放送受信装置は、到来する放送電波を受信し、受信した放送電波の放送信号の中間周波数信号(以下、単にＩＦ信号と称する)をＡＭ検波してＡＭ検波信号を取得する。更に、放送受信装置は、ＡＭ検波信号のＡＭ検波レベルからＡＭノイズ成分を検出する。更に、放送受信装置は、ＡＭノイズ成分を検出すると、このＡＭノイズ成分に基づき、放送信号のノイズ有無を判断する。更に、放送受信装置は、放送信号のノイズ有無を判断し、ノイズ成分がある場合に、このノイズ成分を放送信号から除去し、その除去区間を信号補間するブランク処理を実行することで、放送信号のノイズ成分を除去する機能が広く知られている。
【０００４】
また、他の放送受信装置は、ＡＭ放送の放送電波を受信し、放送電波のＡＭ放送信号をＦＭ検波してＦＭ検波信号を取得し、このＦＭ検波信号の周波数変動成分からＦＭノイズ成分を抽出する。更に、放送受信装置は、抽出したＦＭノイズ成分のレベルが大きい場合、ＡＭ放送信号の出力レベルを小さくすることで、放送信号のノイズ成分の影響を軽減する機能が知られている。
【先行技術文献】
【特許文献】
【０００５】
【特許文献１】特開平８−２７４６６３号公報
【発明の概要】
【発明が解決しようとする課題】
【０００６】
上記従来の放送受信装置では、一定のＡＭノイズ閾値Ｖｔｈａを予め設定し、ＡＭ検波信号のＡＭ検波レベルがＡＭノイズ閾値Ｖｔｈａ以上であるか否かを判定する。更に、放送受信装置は、ＡＭ検波レベルの内、ＡＭノイズ閾値Ｖｔｈａ以上の信号部位をＡＭノイズ成分として検出する。更に、放送受信装置では、ＡＭノイズ成分に基づき、ＡＭ検波信号に対応した放送信号のノイズ有無を判断する。
【０００７】
図１４は、ＩＦ信号に対するＡＭ検波レベルの一例を示す説明図である。図１４に示すＡＭ検波レベルでは、例えば、タイミングｔ１〜タイミングｔ４の４種類のノイズ状況が想定できる。タイミングｔ２は、実際にノイズ成分が混入し、ＡＭ検波レベルがＡＭノイズ閾値Ｖｔｈａ以上と判定された場合のノイズ状況に相当する。更に、タイミングｔ３は、実際にノイズ成分が混入せず、ＡＭ検波レベルがＡＭノイズ閾値Ｖｔｈａ未満と判定された場合のノイズ状況に相当する。更に、タイミングｔ１は、実際にノイズ成分が混入しているものの、そのノイズ成分のレベルが小さく、ＡＭ検波レベルがＡＭノイズ閾値Ｖｔｈａ未満と判定された場合のノイズ状況に相当する。更に、タイミングｔ４は、実際にノイズ成分が混入していないものの、ＡＭ検波信号の変調成分等の影響でＡＭ検波レベルがＡＭノイズ閾値Ｖｔｈａ以上と判定された場合のノイズ状況に相当する。
【０００８】
しかしながら、従来の放送受信装置では、実際にノイズ成分が混入しているものの、そのノイズ成分のレベルが小さく、ＡＭ検波レベルがＡＭノイズ閾値Ｖｔｈａ未満と判定された場合、ノイズ成分があるにもかかわらず、ＡＭノイズ成分を検出できない。その結果、従来の放送受信装置では、ＡＭノイズ成分無しの検出結果に基づき、ノイズ無しの放送信号と誤判断してしまう。
【０００９】
また、従来の放送受信装置では、実際にノイズ成分が混入していないものの、変調成分の影響等でＡＭ検波レベルがＡＭノイズ閾値Ｖｔｈａ以上と判定された場合、ＡＭノイズ閾値Ｖｔｈａ以上の変調成分をＡＭノイズ成分と誤検出してしまう。その結果、従来の放送受信装置では、誤検出したノイズ成分に基づき、ノイズ有りの放送信号と誤判断してしまう。
【００１０】
本発明は上記点に鑑みてなされたものであり、その目的とするところは、受信環境に応じた放送信号のノイズ(雑音)有無を高精度に判断できる放送受信装置及び、放送受信装置の雑音有無判断方法を提供することにある。
【課題を解決するための手段】
【００１１】
上記目的を達成するために本発明の放送受信装置は、到来する放送電波を受信する受信部と、この受信部によって受信された放送電波の放送信号をＡＭ検波してＡＭ検波信号を取得するＡＭ検波部と、前記放送信号をＦＭ検波してＦＭ検波信号を取得するＦＭ検波部と、前記ＡＭ検波部によって取得されたＡＭ検波信号及び前記ＦＭ検波部によって取得されたＦＭ検波信号に基づき、前記放送信号の雑音有無を判断する雑音判断部とを有するようにした。
【００１２】
また、本発明の放送受信装置の雑音有無判断方法は、到来する放送電波を受信する受信ステップと、この受信ステップによって受信された放送電波の放送信号をＡＭ検波してＡＭ検波信号を取得するＡＭ検波ステップと、前記放送信号をＦＭ検波してＦＭ検波信号を取得するＦＭ検波ステップと、前記ＡＭ検波ステップによって取得されたＡＭ検波信号及び前記ＦＭ検波ステップによって取得されたＦＭ検波信号に基づき、前記放送信号の雑音有無を判断する雑音判断ステップとを含むようにした。
【発明の効果】
【００１３】
上記のように構成された本発明の放送受信装置及び、その雑音有無判断方法では、ＡＭ検波信号及びＦＭ検波信号に基づき、放送信号の雑音有無を判断する。すなわち、本発明では、ＡＭ検波信号の他に、ＦＭ検波信号も活用することで、ＡＭ検波信号のみでは判断できない、例えば、実際に雑音が混入した、雑音閾値未満のＡＭ検波信号の雑音成分をも判断できる。更に、本発明では、雑音成分が混入していないにもかかわらず、雑音閾値以上の変調成分をＡＭ検波信号の雑音成分と誤検出して雑音有りの放送信号と誤判断してしまうような事態をも回避できる。その結果、本発明では、受信環境に応じた放送信号の雑音有無を高精度に判断できるという効果を奏する。
【図面の簡単な説明】
【００１４】
【図１】図１は、実施例１の放送受信装置の内部構成を示すブロック図である。
【図２】図２は、実施例１のノイズ検出部の内部構成を示すブロック図である。
【図３】図３は、ノイズ検出部内の各出力信号をアナログ的見地で表した説明図である。
【図４】図４は、ＩＦ信号に対するＡＭ検波レベル及びＦＭ検波レベルのノイズ成分の有無を示す説明図である。
【図５】図５は、ＩＦノイズ処理部のブランク処理部に関わる第１ブランク処理及び第２ブランク処理の処理内容を示す説明図である。
【図６】図６は、実施例１のＡＭ検波信号及びＦＭ検波信号のノイズ状況に対応したノイズ判断内容及びブランク処理内容を示す説明図である。
【図７】図７は、実施例２のノイズ検出部の内部構成を示すブロック図である。
【図８】図８は、過変調された放送電波を受信した場合の問題点を説明するための図である。
【図９】図９は、実施例３に係るノイズ検出部の内部構成を示すブロック図である。
【図１０】図１０は、過変調検知部および閾値変更部の動作例を示す図である。
【図１１】図１１は、実施例３のノイズ検出部の他の内部構成を示すブロック図である。
【図１２】図１２は、過変調検知部および検波信号補正部の動作例を示す図である。
【図１３】図１３は、他の実施例のＡＭ検波信号及びＦＭ検波信号のノイズ状況に対応したノイズ判断内容及びブランク処理内容を示す説明図である。
【図１４】図１４は、ＩＦ信号に対するＡＭ検波レベルのノイズ成分の有無を示す説明図である。
【発明を実施するための形態】
【００１５】
以下、図面に基づいて、本願の開示する放送受信装置及び放送受信装置の雑音有無判断方法の実施例を詳細に説明する。
【実施例１】
【００１６】
図１は、実施例１の放送受信装置の概略構成を示すブロック図である。図１に示す放送受信装置１は、例えば、ラジオ放送やテレビ放送等の放送電波を受信するＡＭ放送受信機やＦＭ放送受信機等の受信装置に相当する。放送受信装置１は、受信アンテナ１１、フロントエンド部１２、Ａ／Ｄ変換部１３、ＩＦノイズ処理部１４及びＩＦ処理部１５を有する。更に、放送受信装置１は、オーディオ周波数変換部１６、オーディオノイズ処理部１７、オーディオ処理部１８、スピーカ１９、電界レベル検出部２０及びノイズ検出部２１を有する。尚、Ａ／Ｄ変換部１３から後段のオーディオ処理部１８までの各種部位は、例えば、デジタルシグナルプロセッサ（ＤＳＰ）で構成するが、ＤＳＰに限定するものではない。
【００１７】
受信アンテナ１１は、到来するラジオ放送等の放送電波を受信する。フロントエンド部１２は、受信アンテナ１１で受信した放送電波を中間周波数信号（以下、単にＩＦ信号と称する）に変換する。Ａ／Ｄ変換部１３は、ＩＦ信号をデジタル変換する。ＩＦノイズ処理部１４は、ＩＦ信号のノイズ成分を除去するブランク処理を実行する。尚、ブランク処理とは、例えば、ＩＦ信号の連続する信号区間の内、ノイズ成分を含む除去対象区間を除去し、この除去した区間を信号補間する補間処理に相当する。ＩＦ処理部１５は、ブランク処理を施したＩＦ信号に対してデジタルフィルタ処理を実行する。尚、デジタルフィルタ処理は、到来する放送電波の放送周波数と隣接する隣接放送周波数のＩＦ信号を妨害信号として除去するフィルタ処理に相当する。
【００１８】
オーディオ周波数変換部１６は、デジタルフィルタ処理を施したＩＦ信号をオーディオ周波数信号（以下、単にオーディオ信号と称する）に変換する。オーディオノイズ処理部１７は、オーディオ信号のノイズ成分を除去するブランク処理を実行する。尚、ブランク処理は、オーディオ信号の連続する信号区間の内、ノイズ成分を含む除去対象区間を除去し、この除去した区間を信号補間する補間処理に相当する。
【００１９】
また、ＩＦノイズ処理部１４は、ＩＦ信号段階で放送信号のノイズ成分を除去するブランク処理を実行するのに対し、オーディオノイズ処理部１７は、後段のオーディオ信号段階で放送信号のノイズ成分を除去するブランク処理を実行する。つまり、ＩＦノイズ処理部１４及びオーディオノイズ処理部１７は、２段構えでノイズ成分を除去することで、放送信号のノイズ成分を確実に低減することになる。また、オーディオ処理部１８は、オーディオ信号に対してオーディオ処理を実行する。尚、オーディオ処理とは、音声ミュート処理や高周波成分を除去するハイカット処理等に相当する。スピーカ１９は、オーディオ処理を施したオーディオ信号を音響出力する。
【００２０】
電界レベル検出部２０は、ＩＦ信号の受信電界強度レベルを検出し、この受信電界強度レベルをオーディオ処理部１８に入力する。オーディオ処理部１８は、受信電界強度レベルが所定レベル以上の場合、現在の受信電界強度が良好と判断し、受信電界強度良好時に対応したオーディオ処理を実行する。また、オーディオ処理部１８は、受信電界強度レベルが所定レベル未満の場合、現在の受信電界強度が不良と判断し、受信電界強度不良時に対応した、音声ミュート処理やハイカット処理等のオーディオ処理を実行する。
【００２１】
ノイズ検出部２１は、Ａ／Ｄ変換部１３経由で順次検出するＩＦ信号の内、同一タイミングの信号部位でのＡＭ検波信号及びＦＭ検波信号のノイズ成分を検出する。図２は、ノイズ検出部２１の内部構成を示すブロック図、図３は、ノイズ検出部２１内の各出力信号をアナログ的見地で表した説明図である。尚、説明の便宜上、ノイズ検出部２１内の各出力信号をアナログ波形で説明するが、実際にはデジタル的に処理されることは言うまでもない。
【００２２】
図２に示すノイズ検出部２１は、ＡＭ検波部３１、ＡＭノイズ検出部３２、ＦＭ検波部３３、ＦＭノイズ検出部３４及びノイズ判断部３５を有する。ＡＭ検波部３１は、図３（Ａ）に示すＩＦ信号をＡＭ検波して、図３（Ｂ）に示すようにＡＭ検波信号を取得する。ＡＭノイズ検出部３２は、図３（Ｃ）に示すように、ＡＭ検波信号のＡＭ検波レベルが一定のＡＭノイズ閾値Ｖｔｈａ以上であるか否かを判定する。ＡＭノイズ検出部３２は、ＡＭ検波レベルの内、ＡＭノイズ閾値Ｖｔｈａ以上の信号部位をＡＭ検波信号のＡＭノイズ成分として検出する。尚、ＡＭノイズ検出部３２は、ＡＭノイズ成分を検出した場合、ハイレベル信号をノイズ判断部３５に出力すると共に、ＡＭノイズ成分を検出しなかった場合、ローレベル信号をノイズ判断部３５に出力する。
【００２３】
ＦＭ検波部３３は、ＩＦ信号をＦＭ検波して、図３（Ｄ）に示すようにＦＭ検波信号を取得する。ＦＭノイズ検出部３４は、図３（Ｅ）に示すように、ＦＭ検波信号のＦＭ検波レベルが一定のＦＭノイズ閾値Ｖｔｈｆ以上であるか否かを判定する。ＦＭノイズ検出部３４は、ＦＭ検波レベルの内、ＦＭノイズ閾値Ｖｔｈｆ以上の信号部位をＦＭ検波信号のＦＭノイズ成分として検出する。尚、ＦＭノイズ成分は、ＡＭノイズ成分のレベル変動に関係なく、ノイズ混入時に生じる位相乱れで発生する。従って、ＦＭノイズ成分を使用した場合、例えば、後述する図４のタイミングｔ１及びｔ２のようなＡＭノイズ検出部３２では検出しきれないノイズ成分の有無をも判断できる。また、ＦＭノイズ検出部３４は、ＦＭノイズ成分を検出した場合、ハイレベル信号をノイズ判断部３５に出力すると共に、ＦＭノイズ成分を検出しなかった場合、ローレベル信号をノイズ判断部３５に出力する。
【００２４】
ＡＭノイズ検出部３２は、ＡＭ検波信号のＡＭ検波レベルをＡＭノイズ閾値Ｖｔｈａと順次判定し、ＦＭノイズ検出部３４は、ＦＭ検波信号のＦＭ検波レベルをＦＭノイズ閾値Ｖｔｈｆと順次判定する。この際、ＡＭノイズ検出部３２及びＦＭノイズ検出部３４では、ＩＦ信号の同一タイミングのＡＭ検波レベル及びＦＭ検波レベル同士のノイズ検出結果が同時出力されることになる。
【００２５】
ノイズ判断部３５は、ＡＭノイズ検出部３２及びＦＭノイズ検出部３４の出力信号(検出結果)に基づき、放送信号のノイズ状況を判断する。尚、図４は、ＩＦ信号に対するＡＭ検波レベル及びＦＭ検波レベルのノイズ成分の有無を示す説明図である。
【００２６】
ＡＭ検波レベルには、図４に示すようにタイミングｔ１〜ｔ４の４種類のノイズ状況が想定できる。タイミングｔ２は、実際にノイズ成分が混入し、ＡＭ検波レベルがＡＭノイズ閾値Ｖｔｈａ以上の場合のノイズ状況に相当する。タイミングｔ３は、実際にノイズ成分が混入することなく、ＡＭ検波レベルがＡＭノイズ閾値Ｖｔｈａ未満の場合のノイズ状況に相当する。タイミングｔ１は、実際にノイズ成分が混入しているものの、そのノイズ成分のレベルが小さく、ＡＭ検波レベルがＡＭノイズ閾値Ｖｔｈａ未満の場合のノイズ状況に相当する。更に、タイミングｔ４は、実際にノイズ成分が混入していないものの、ＡＭ検波信号の変調成分等の影響でＡＭ検波レベルがＡＭノイズ閾値Ｖｔｈａ以上の場合のノイズ状況に相当する。
【００２７】
ノイズ判断部３５は、ＡＭノイズ検出部３２及びＦＭノイズ検出部３４双方のハイレベル信号を同時に検出すると、例えば、タイミングｔ２に示す通り、ＡＭ検波信号及びＦＭ検波信号双方にノイズ成分があると判断する。更に、ノイズ判断部３５は、ＡＭ検波信号及びＦＭ検波信号双方にノイズ成分があると判断すると、放送信号内に基準レベル以上のノイズ、すなわち大きいノイズが有ると判断する。そして、ノイズ判断部３５は、放送信号内に大きいノイズが有ると判断した制御信号をＩＦノイズ処理部１４及びオーディオノイズ処理部１７に出力する。
【００２８】
また、ノイズ判断部３５は、ＡＭノイズ検出部３２のローレベル信号及びＦＭノイズ検出部３４のハイレベル信号を同時に検出すると、例えば、タイミングｔ１に示す通り、ＦＭ検波信号にＦＭノイズ成分があると判断する。更に、ノイズ判断部３５は、ＦＭノイズ成分があると判断すると、放送信号内に基準レベル未満のノイズ、すなわち中程度のノイズが有ると判断する。そして、ノイズ判断部３５は、放送信号内に中程度のノイズが有ると判断した制御信号をＩＦノイズ処理部１４及びオーディオノイズ処理部１７に出力する。
【００２９】
また、ノイズ判断部３５は、ＡＭノイズ検出部３２のハイレベル信号及びＦＭノイズ検出部３４のローレベル信号を同時に検出すると、例えば、タイミングｔ４に示す通り、ＡＭ検波信号にＡＭノイズ成分があると判断する。更に、ノイズ判断部３５は、ＡＭノイズ成分があると判断すると、放送信号内に基準レベル未満のノイズ、すなわち中程度のノイズが有ると判断する。そして、ノイズ判断部３５は、放送信号内に中程度のノイズが有ると判断した制御信号をＩＦノイズ処理部１４及びオーディオノイズ処理部１７に出力する。
【００３０】
更に、ノイズ判断部３５は、ＡＭノイズ検出部３２及びＦＭノイズ検出部３４のローレベル信号を同時に検出すると、例えば、タイミングｔ３に示す通り、ＡＭ検波信号及びＦＭ検波信号双方にノイズ成分がないと判断する。更に、ノイズ判断部３５は、ＡＭ検波信号及びＦＭ検波信号双方にノイズ成分がないと判断すると、放送信号内にノイズが無いと判断する。そして、ノイズ判断部３５は、放送信号内にノイズが無いと判断した制御信号をＩＦノイズ処理部１４及びオーディオノイズ処理部１７に出力する。
【００３１】
図５は、ＩＦノイズ処理部１４のブランク処理部１４Ａに関わる第１ブランク処理及び第２ブランク処理の処理内容を示す説明図である。ＩＦノイズ処理部１４のブランク処理部１４Ａは、放送信号内に大きいノイズが有ると判断した制御信号を検出すると、図５（Ａ）に示すように第１ブランク処理を実行する。尚、第１ブランク処理は、ＩＦ信号の連続する信号区間の内、ノイズ成分を含む除去対象区間を除去し、この除去した区間を信号補間する。また、信号補間は、除去対象区間の始点及び終点を直線的に信号補間する直線補間を採用する。また、第１ブランク処理の除去対象区間Ｘ１は、ノイズ成分の除去に重点を置くため、第２ブランク処理の除去対象区間Ｘ２に比較して長めに設定する。
【００３２】
また、ブランク処理部１４Ａは、放送信号内に中程度のノイズが有ると判断した制御信号を検出すると、図５（Ｂ）に示すように、第２ブランク処理を実行する。尚、第２ブランク処理は、ＩＦ信号の連続する信号区間の内、ノイズ成分を含む除去対象区間を除去し、この除去した区間を直線的に信号補間する。また、第２ブランク処理の除去対象区間Ｘ２は、除去対象区間内のノイズ成分の除去に伴って発生する音声歪みの抑止に重点を置くため、第１ブランク処理の除去対象区間Ｘ１に比較して短め設定する。また、ブランク処理部１４Ａは、放送信号内にノイズが無いと判断した制御信号を検出すると、ブランク処理の実行を禁止する。
【００３３】
また、オーディオノイズ処理部１７のブランク処理部１７Ａは、放送信号内に大きいノイズが有ると判断した制御信号を検出すると、第３ブランク処理を実行する。尚、第３ブランク処理は、オーディオ信号の連続する信号区間の内、ノイズ成分を含む除去対象区間を除去し、この除去した区間を直線的に信号補間する。また、第３ブランク処理の除去対象区間は、ノイズ成分の除去に重点を置くため、後述する第４ブランク処理の除去対象区間に比較して長めに設定する。
【００３４】
また、ブランク処理部１７Ａは、放送信号内に中程度のノイズが有ると判断した制御信号を検出すると、第４ブランク処理を実行する。尚、第４ブランク処理は、オーディオ信号の連続する信号区間の内、ノイズ成分を含む除去対象区間を除去し、この除去した区間を直線的に信号補間する。また、第４ブランク処理の除去対象区間は、除去対象区間内のノイズ成分の除去に伴って発生する音声歪みの抑止に重点を置くため、第３ブランク処理の除去対象区間に比較して短めに設定する。また、ブランク処理部１７Ａは、放送信号内にノイズが無いと判断した制御信号を検出すると、ブランク処理の実行を禁止する。
【００３５】
図６は、ＡＭ検波信号及びＦＭ検波信号のノイズ状況に対応したノイズ判断内容及びブランク処理内容を示す説明図である。ノイズ判断部３５は、図６に示すように、ＡＭノイズ検出部３２及びＦＭノイズ検出部３４双方のハイレベル信号を同時検出すると、ＡＭ検波信号及びＦＭ検波信号双方にノイズ成分があると判断して、放送信号内に大きいノイズが有ると判断する。更に、ブランク処理部１４Ａは、ＩＦ信号に対して第１ブランク処理を実行し、ブランク処理部１７Ａは、オーディオ信号に対して第３ブランク処理を実行する。
【００３６】
また、ノイズ判断部３５は、図６に示すように、ＡＭノイズ検出部３２のハイレベル信号及びＦＭノイズ検出部３４のローレベル信号を同時検出すると、ＡＭ検波信号にＡＭノイズ成分があると判断し、放送信号内に中程度のノイズが有ると判断する。更に、ブランク処理部１４Ａは、ＩＦ信号に対して第２ブランク処理を実行し、ブランク処理部１７Ａは、オーディオ信号に対して第４ブランク処理を実行する。
【００３７】
また、ノイズ判断部３５は、図６に示すように、ＡＭノイズ検出部３２のローレベル信号及びＦＭノイズ検出部３４のハイレベル信号を同時検出すると、ＦＭ検波信号にＦＭノイズ成分があると判断し、放送信号内に中程度のノイズが有ると判断する。更に、ブランク処理部１４Ａは、ＩＦ信号に対して第２ブランク処理を実行し、ブランク処理部１７Ａは、オーディオ信号に対して第４ブランク処理を実行する。
【００３８】
また、ノイズ判断部３５は、図６に示すように、ＡＭノイズ検出部３２及びＦＭノイズ検出部３４のローレベル信号を同時検出すると、ＡＭ検波信号及びＦＭ検波信号双方にノイズ成分がないと判断し、放送信号内にノイズが無いと判断する。更に、ブランク処理部１４Ａは、ＩＦ信号に対するブランク処理の実行を禁止し、ブランク処理部１７Ａは、オーディオ信号に対するブランク処理の実行を禁止する。
【００３９】
次に、実施例１の放送受信装置１の動作について説明する。尚、搭載車両の移動に応じて受信環境が変動し、放送受信装置１では、ノイズ成分を混入した放送信号を受信する場合がある。
【００４０】
フロントエンド部１２は、受信アンテナ１１を通じて放送電波を受信すると、受信した放送電波をＩＦ信号に変換する。Ａ／Ｄ変換部１３は、ＩＦ信号をデジタル変換する。ＩＦノイズ処理部１４は、ノイズ検出部２１の検出結果に基づき、デジタル変換されたＩＦ信号にブランク処理を実行する。
【００４１】
ノイズ検出部２１内のＡＭ検波部３１及びＦＭ検波部３３は、Ａ／Ｄ変換部１３からデジタル変換されたＩＦ信号を夫々入力する。ＡＭ検波部３１は、ＩＦ信号をＡＭ検波してＡＭ検波信号を取得する。ＡＭノイズ検出部３２は、ＡＭ検波信号のＡＭ検波レベルがＡＭノイズ閾値Ｖｔｈａ以上であるか否かを判定し、ＡＭ検波レベルの内、ＡＭノイズ閾値Ｖｔｈａ以上の信号部位をＡＭノイズ成分として検出する。ＡＭノイズ検出部３２は、ＡＭノイズ成分を検出した場合、ハイレベル信号をノイズ判断部３５に出力する。
【００４２】
更に、ＦＭ検波部３３は、ＩＦ信号をＦＭ検波してＦＭ検波信号を取得する。ＦＭノイズ検出部３４は、ＦＭ検波レベルがＦＭノイズ閾値Ｖｔｈｆ以上であるか否かを判定し、ＦＭ検波レベルの内、ＦＭノイズ閾値Ｖｔｈｆ以上の信号部位をＦＭノイズ成分として検出する。ＦＭノイズ検出部３４は、ＦＭノイズ成分を検出した場合、ハイレベル信号をノイズ判断部３５に出力する。
【００４３】
ノイズ判断部３５は、ＡＭノイズ検出部３２及びＦＭノイズ検出部３４双方のハイレベル信号を同時検出すると、放送信号内に大きいノイズが有ると判断する。更に、ノイズ判断部３５は、放送信号内に大きいノイズが有ると判断した制御信号をＩＦノイズ処理部１４内のブランク処理部１４Ａ及びオーディオノイズ処理部１７内のブランク処理部１７Ａに夫々出力する。そして、ブランク処理部１４Ａは、放送信号内に大きいノイズが有ると判断した制御信号を検出すると、Ａ／Ｄ変換部１３によってデジタル変換されたＩＦ信号に対して第１ブランク処理を実行する。ブランク処理部１４Ａは、ＩＦ信号に対してノイズ成分除去重視の第１ブランク処理を実行することで、ＩＦ信号のノイズ成分を含む除去対象区間を除去し、この除去した区間を直線的に信号補間する。その結果、ＩＦ信号のノイズ成分を大幅に除去できる。
【００４４】
また、ノイズ判断部３５は、ＡＭノイズ検出部３２及びＦＭノイズ検出部３４の何れか一方のハイレベル信号を検出すると、放送信号内に中程度のノイズが有ると判断する。更に、ノイズ判断部３５は、放送信号内に中程度のノイズが有ると判断した制御信号をブランク処理部１４Ａ及びブランク処理部１７Ａに夫々出力する。そして、ブランク処理部１４Ａは、放送信号内に中程度のノイズが有ると判断した制御信号を検出すると、Ａ／Ｄ変換部１３によってデジタル変換されたＩＦ信号に対して第２ブランク処理を実行する。ブランク処理部１４Ａは、ＩＦ信号に対して音声歪み抑止重視の第２ブランク処理を実行することで、ＩＦ信号のノイズ成分を除去に伴う音声歪みを優先的に抑制すべく、ノイズ成分を含む除去対象区間を除去し、この除去した区間を直線的に信号補間する。その結果、第２ブランク処理は、第１ブランク処理に比較して、除去できるノイズ成分が少ないものの、その分、ノイズ除去に伴う音声歪みを抑制できる。
【００４５】
また、ノイズ判断部３５は、ＡＭノイズ検出部３２及びＦＭノイズ検出部３４双方のローレベル信号を同時検出すると、放送信号内にノイズが無いと判断する。更に、ノイズ判断部３５は、放送信号内にノイズが無いと判断した制御信号をＩＦノイズ処理部１４内のブランク処理部１４Ａ及びオーディオノイズ処理部１７内のブランク処理部１７Ａに夫々出力する。そして、ブランク処理部１４Ａは、放送信号内にノイズが無いと判断した制御信号を検出すると、ブランク処理の実行を禁止する。
【００４６】
更に、ＩＦ処理部１５は、ＩＦノイズ処理部１４の出力信号であるＩＦ信号に対してデジタルフィルタ処理を施す。更に、オーディオ周波数変換部１６は、デジタルフィルタ処理を施したＩＦ信号をオーディオ信号に変換する。オーディオノイズ処理部１７のブランク処理部１７Ａは、放送信号内に大きいノイズが有ると判断した制御信号を検出すると、オーディオ周波数変換部１６にて変換したオーディオ信号に対して第３ブランク処理を実行する。ブランク処理部１７Ａは、オーディオ信号に対してノイズ成分除去重視の第３ブランク処理を実行することで、オーディオ信号のノイズ成分を含む除去対象区間を除去し、この除去した区間を直線的に信号補間する。その結果、オーディオ信号のノイズ成分を大幅に除去できる。
【００４７】
また、ブランク処理部１７Ａは、放送信号内に中程度のノイズが有ると判断した制御信号を検出すると、オーディオ周波数変換部１６にて変換したオーディオ信号に対して第４ブランク処理を実行する。ブランク処理部１７Ａは、オーディオ信号に対して音声歪み抑止重視の第４ブランク処理を実行することで、オーディオ信号のノイズ成分を除去に伴う音声歪みを優先的に抑制すべく、ノイズ成分を含む除去対象区間を除去し、この除去した区間を直線的に信号補間する。その結果、第４ブランク処理は、第３ブランク処理に比較して、除去できるノイズ成分が少ないものの、その分、ノイズ除去に伴う音声歪みを抑制できる。また、ブランク処理部１７Ａは、放送信号内にノイズが無いと判断した制御信号を検出すると、ブランク処理の実行を禁止する。
【００４８】
更に、オーディオ処理部１８は、オーディオノイズ処理部１７の出力信号であるオーディオ信号に対してオーディオ処理を施し、このオーディオ処理を施したオーディオ信号をスピーカ１９から音響出力する。
【００４９】
実施例１では、ＡＭ検波信号及びＦＭ検波信号双方のノイズ成分を検出すると、放送信号内に大きいノイズが有ると判断し、ＩＦ信号（オーディオ信号）に対してノイズ成分除去重視の第１ブランク処理(第３ブランク処理)を実行する。その結果、放送信号のノイズ成分を大幅に除去できる。
【００５０】
更に、実施例１では、ＡＭ検波信号のノイズ成分及びＦＭ検波信号のノイズ成分の何れか一方のみを検出すると、放送信号内に中程度のノイズが有ると判断し、ＩＦ信号(オーディオ信号)に対して音声歪み抑制重視の第２ブランク処理(第４ブランク処理)を実行する。その結果、第２ブランク処理(第４ブランク処理)は、第１ブランク処理(第３ブランク処理)に比較して、除去できるノイズ成分が少ないものの、その分、ノイズ除去に伴う音声歪みを抑制できる。
【００５１】
更に、実施例１では、第２ブランク処理の除去対象区間Ｘ２を第１ブランク処理の除去対象区間Ｘ１に比較して短めに設定したので、除去できるノイズ成分は少ないものの、その分、ノイズ除去に伴う音声歪みを優先的に抑制できる。
【００５２】
更に、実施例１では、ＡＭ検波信号のＡＭノイズ成分の他に、ＦＭ検波信号のＦＭノイズ成分も活用することで、ＡＭ検波信号のみでは判断できないような、例えば、実際にノイズが混入したＡＭノイズ閾値Ｖｔｈａ未満のＡＭノイズ成分をも判断できる。
【００５３】
更に、実施例１では、ノイズ成分が混入していないにもかかわらず、ＡＭノイズ閾値Ｖｔｈａ以上の変調成分をＡＭノイズ成分と誤検出して放送信号内にノイズが有ると誤判断してしまうような事態をも防止できる。その結果、実施例１では、受信環境に対応する放送信号のノイズ有無を高精度に判断できる。
【００５４】
尚、上記実施例１では、ノイズ判断部３５がＡＭノイズ検出部３２及びＦＭノイズ検出部３４のノイズ検出結果に基づき、放送信号のノイズ有無を判断したが、次に説明するように、アンド部及びオア部等の論理回路でノイズ判断部を構成するようにしても良い。
【実施例２】
【００５５】
そこで、アンド部及びオア部で構成したノイズ判断部を備えた放送受信装置の実施例につき、実施例２として以下に説明する。図７は、実施例２のノイズ検出部の内部構成を示すブロック図である。尚、実施例１の放送受信装置１と同一の構成については、同一符号を付すことで、その重複する構成及び動作の説明については省略する。
【００５６】
先ず、実施例１の放送受信装置１と実施例２の放送受信装置とが異なるところは、ノイズ判断部３５の代わりに、図７に示すように、アンド部３６及びオア部３７で構成するノイズ判断部３５Ａを備えた点にある。
【００５７】
図７に示すノイズ検出部２１Ａは、ＡＭ検波部３１、ＡＭノイズ検出部３２、ＦＭ検波部３３及びＦＭノイズ検出部３４の他に、ノイズ判断部３５Ａを有する。ノイズ判断部３５Ａは、アンド部３６及びオア部３７を有する。アンド部３６は、ＡＭノイズ検出部３２及びＦＭノイズ検出部３４のハイレベル信号を同時に検出した場合にのみ、放送信号内に大きいノイズが有ると判断したハイレベル信号をブランク処理部１４Ａ及び１７Ａに出力する。
【００５８】
更に、オア部３７は、ＡＭノイズ検出部３２及びＦＭノイズ検出部３４の何れか一方のみのハイレベル信号を検出した場合に、放送信号内に中程度のノイズが有ると判断したハイレベル信号をブランク処理部１４Ａ及び１７Ａに出力する。
【００５９】
ブランク処理部１４Ａは、アンド部３６から放送信号内に大きいノイズが有ると判断したハイレベル信号を検出すると、Ａ／Ｄ変換部１３によってデジタル変換されたＩＦ信号に対して第１ブランク処理を実行する。
【００６０】
また、ブランク処理部１４Ａは、オア部３７から放送信号内に中程度のノイズが有ると判断したハイレベル信号を検出すると、Ａ／Ｄ変換部１３によってデジタル変換されたＩＦ信号に対して第２ブランク処理を実行する。
【００６１】
更に、ブランク処理部１７Ａは、アンド部３６から放送信号内に大きいノイズが有ると判断したハイレベル信号を検出すると、オーディオ周波数変換部１６によって周波数変換されたオーディオ信号に対して第３ブランク処理を実行する。
【００６２】
また、ブランク処理部１７Ａは、オア部３７から放送信号内に中程度のノイズが有ると判断したハイレベル信号を検出すると、オーディオ周波数変換部１６によって周波数変換されたオーディオ信号に対して第４ブランク処理を実行する。
【００６３】
次に、実施例２の放送受信装置の動作について説明する。フロントエンド部１２は、受信アンテナ１１を通じて放送電波を受信すると、受信した放送電波をＩＦ信号に変換する。Ａ／Ｄ変換部１３は、ＩＦ信号をデジタル変換する。ＩＦノイズ処理部１４は、ノイズ検出部２１Ａの検出結果に基づき、デジタル変換されたＩＦ信号にブランク処理を実行する。
【００６４】
ノイズ検出部２１Ａ内のＡＭ検波部３１及びＦＭ検波部３３は、Ａ／Ｄ変換部１３からデジタル変換されたＩＦ信号を夫々入力する。ＡＭ検波部３１は、ＩＦ信号をＡＭ検波してＡＭ検波信号を取得する。ＡＭノイズ検出部３２は、ＡＭ検波信号のＡＭ検波レベルがＡＭノイズ閾値Ｖｔｈａ以上であるか否かを判定し、ＡＭ検波レベルの内、ＡＭノイズ閾値Ｖｔｈａ以上の信号部位をＡＭノイズ成分として検出する。ＡＭノイズ検出部３２は、ＡＭノイズ成分を検出した場合、ハイレベル信号をアンド部３６及びオア部３７に出力する。
【００６５】
更に、ＦＭ検波部３３は、ＩＦ信号をＦＭ検波してＦＭ検波信号を取得する。ＦＭノイズ検出部３４は、ＦＭ検波信号のＦＭ検波レベルがＦＭノイズ閾値Ｖｔｈｆ以上であるか否かを判定し、ＦＭ検波レベルの内、ＦＭノイズ閾値Ｖｔｈｆ以上の信号部位をＦＭ検波信号のノイズ成分として検出する。ＦＭノイズ検出部３４は、ＦＭノイズ成分を検出した場合、ハイレベル信号をアンド部３６及びオア部３７に出力する。
【００６６】
アンド部３６は、ＡＭノイズ検出部３２及びＦＭノイズ検出部３４双方のハイレベル信号を同時検出すると、ハイレベル信号をＩＦノイズ処理部１４内のブランク処理部１４Ａ及びオーディオノイズ処理部１７内のブランク処理部１７Ａに夫々出力する。そして、ブランク処理部１４Ａは、アンド部３６からのハイレベル信号を検出すると、Ａ／Ｄ変換部１３によってデジタル変換されたＩＦ信号に対して第１ブランク処理を実行する。ブランク処理部１４Ａは、ＩＦ信号に対してノイズ成分除去重視の第１ブランク処理を実行することで、ＩＦ信号のノイズ成分を含む除去対象区間を除去し、この除去した区間を直線的に信号補間する。その結果、ＩＦ信号のノイズ成分を大幅に除去できる。
【００６７】
また、オア部３７は、ＡＭノイズ検出部３２及びＦＭノイズ検出部３４の何れか一方のみからのハイレベル信号を検出すると、ハイレベル信号をブランク処理部１４Ａ及びブランク処理部１７Ａに夫々出力する。そして、ブランク処理部１４Ａは、オア部３７のハイレベル信号を検出すると、Ａ／Ｄ変換部１３によってデジタル変換されたＩＦ信号に対して第２ブランク処理を実行する。ブランク処理部１４Ａは、ＩＦ信号に対して音声歪み抑止重視の第２ブランク処理を実行することで、ＩＦ信号のノイズ成分を除去に伴う音声歪みを優先的に抑制すべく、ノイズ成分を含む除去対象区間を除去し、この除去した区間を直線的に信号補間する。その結果、第２ブランク処理は、第１ブランク処理に比較して、除去できるノイズ成分が少ないものの、その分、ノイズ除去に伴う音声歪みを抑制できる。
【００６８】
また、ブランク処理部１４Ａは、アンド部３６及びオア部３７双方のローレベル信号を検出すると、ブランク処理の実行を禁止する。
【００６９】
更に、ＩＦ処理部１５は、ＩＦノイズ処理部１４の出力信号であるＩＦ信号に対してデジタルフィルタ処理を施す。更に、オーディオ周波数変換部１６は、デジタルフィルタ処理を施したＩＦ信号をオーディオ信号に変換する。オーディオノイズ処理部１７のブランク処理部１７Ａは、アンド部３６のハイレベル信号を検出すると、オーディオ周波数変換部１６にて変換したオーディオ信号に対して第３ブランク処理を実行する。ブランク処理部１７Ａは、オーディオ信号に対してノイズ成分除去重視の第３ブランク処理を実行することで、オーディオ信号のノイズ成分を含む除去対象区間を除去し、この除去した区間を直線的に信号補間する。その結果、オーディオ信号のノイズ成分を大幅に除去できる。
【００７０】
また、ブランク処理部１７Ａは、オア部３７のハイレベル信号を検出すると、オーディオ周波数変換部１６にて変換したオーディオ信号に対して第４ブランク処理を実行する。ブランク処理部１７Ａは、オーディオ信号に対して音声歪み抑止重視の第４ブランク処理を実行することで、オーディオ信号のノイズ成分を除去に伴う音声歪みを優先的に抑制すべく、ノイズ成分を含む除去対象区間を除去し、この除去した区間を直線的に信号補間する。その結果、第４ブランク処理は、第３ブランク処理に比較して、除去できるノイズ成分が少ないものの、その分、ノイズ除去に伴う音声歪みを抑制できる。また、ブランク処理部１７Ａは、アンド部３６及びオア部３７双方のローレベル信号を検出すると、ブランク処理の実行を禁止する。
【００７１】
更に、オーディオ処理部１８は、オーディオノイズ処理部１７の出力信号であるオーディオ信号に対してオーディオ処理を施し、このオーディオ処理を施したオーディオ信号をスピーカ１９から音響出力する。
【００７２】
実施例２では、ＡＭ検波信号及びＦＭ検波信号双方のノイズ成分の検出に応じて、アンド部３６からのハイレベル信号を検出すると、ＩＦ信号（オーディオ信号）に対してノイズ成分除去重視の第１ブランク処理(第３ブランク処理)を実行する。その結果、放送信号のノイズ成分を大幅に除去できる。
【００７３】
更に、実施例２では、ＡＭ検波信号及びＦＭ検波信号の何れか一方のみのノイズ成分の検出に応じて、オア部３７からのハイレベル信号を検出すると、ＩＦ信号(オーディオ信号)に対して音声歪み抑制重視の第２ブランク処理(第４ブランク処理)を実行する。その結果、第２ブランク処理(第４ブランク処理)は、第１ブランク処理(第３ブランク処理)に比較して、除去できるノイズ成分が少ないものの、その分、ノイズ除去に伴う音声歪みを抑制できる。
【００７４】
更に、実施例２では、ノイズ判断部３５Ａの内部構成をアンド部３６及びオア部３７等の論理回路で構成したので、その回路構成を簡略化できる。
【００７５】
尚、本実施例では、ＩＦノイズ処理部１４のブランク処理部１４Ａ及びオーディオノイズ処理部１７のブランク処理部１７Ａを使用してブランク処理を実行した。しかしながら、ＩＦノイズ処理部１４又はオーディオノイズ処理部１７の何れか一方のブランク処理部１４Ａ（１７Ａ）のみを使用してブランク処理を実行しても良く、この場合はブランク処理部が１個で済む。また、上記実施例では、ブランク処理として除去対象区間の始点及び終点を直線的に信号補間する直線補間を例に挙げて説明したが、除去対象区間の始点及び終点を除去前のノイズ成分直前の信号を使用して補間する前置補間を採用しても良い。
【００７６】
また、同様に、順次検出するＩＦ信号を履歴保持し、履歴保持中のＩＦ信号から除去対象区間の正常時の信号部位に近似する信号部位を読み出し、この読み出した信号部位を使用して除去対象区間の始点及び終点を補間する線形予測補間を採用しても良い。
【実施例３】
【００７７】
ところで、放送電波の送信を行う放送局では、放送エリアを拡大させることを目的として、放送電波を過変調させて送信する場合がある。ここで、「過変調」とは、放送電波の変調率が規定値（具体的には、１００％）を超えた状態をあらわす。
【００７８】
そして、実施例１および実施例２に係る放送受信装置１では、過変調された放送電波を受信した場合に、ＦＭノイズ検出部３４が、実際にはノイズ成分が含まれていないにもかかわらずＦＭノイズを誤検出してしまうという問題があった。
【００７９】
ここで、かかる問題点について図８を用いて具体的に説明する。図８は、過変調された放送電波を受信した場合の問題点を説明するための図である。なお、同図の（Ａ）には、過変調された放送電波を含んだＡＭ検波信号の一例を、同図の（Ｂ）には、同図の（Ａ）に示したＡＭ検波信号に対応するＦＭ検波信号をそれぞれ示している。
【００８０】
同図の（Ａ）に示したように、過変調された放送電波を受信した区間では、ＡＭ検波信号の位相が反転する。たとえば、同図の（Ａ）では、過変調された放送電波が時間ｔ１〜ｔ２の期間および時間ｔ３〜ｔ４の期間において入力されている。かかる場合、ＡＭ検波信号の位相は、時間ｔ１〜ｔ２の期間および時間ｔ３〜ｔ４の期間においてＡＭ検波レベル「０」を中心として反転する。
【００８１】
また、ＡＭ検波信号に位相反転が生じると、ＡＭ検波レベルが急激に変化することとなり、この結果、ＦＭ検波信号には、同図の（Ｂ）に示したように、位相が反転したタイミング（ここでは、時間ｔ１〜ｔ４）を中心としたピークが現れる。そして、これらのピークがＦＭノイズ閾値Ｖｔｈｆ以上である場合、ＦＭノイズ検出部３４は、これらのピークをＦＭノイズとして誤検出してしまう。
【００８２】
この結果、実際にはノイズ成分がないにもかかわらずブランク処理部１４Ａおよび１７Ａによってブランク処理が実行され、音声歪みが発生してしまうこととなる。そこで、実施例３では、過変調によるＦＭノイズ検出部３４の誤動作を防止することで、音声歪みの発生を抑えることとした。
【００８３】
図９は、実施例３に係るノイズ検出部２１Ｂの内部構成を示すブロック図である。尚、実施例２に係るノイズ検出部２１Ａと同一の構成については、同一符号を付すことで、その重複する構成及び動作の説明については省略する。
【００８４】
同図に示すように、実施例３に係るノイズ検出部２１Ｂは、過変調検知部４０と、閾値変更部４１とをさらに備えている。過変調検知部４０は、ＡＭ検波部３１からＡＭ検波信号を受け取り、受け取ったＡＭ検波信号のＡＭ検波レベルに基づいて過変調の有無を検知する処理部である。
【００８５】
具体的には、過変調検知部４０は、ＡＭ検波信号が反転するタイミング、すなわち、ＡＭ検波レベルが「０」となるタイミングを検知することによって過変調の有無を検知する。また、過変調検知部４０は、ＡＭ検波レベルが「０」となるタイミングを検知すると、かかる検知結果を閾値変更部４１へ出力する処理を行う。
【００８６】
なお、以下では、ＡＭ検波レベルが「０」となるタイミングを「ゼロ点」と呼ぶこととする。図８の（Ａ）に示した場合には、時間ｔ１〜ｔ４がそれぞれゼロ点に相当する。
【００８７】
閾値変更部４１は、過変調検知部４０による検知結果に基づいてＦＭノイズ閾値を変更する処理部である。具体的には、閾値変更部４１は、過変調検知部４０からゼロ点の検知結果が入力されると、ゼロ点を含む所定期間において検波されたＦＭ検波信号に対して適用されるＦＭノイズ閾値を通常よりも高い値に変更する。なお、変更後のＦＭノイズ閾値は、ＡＭ検波信号の位相反転によって現れるＦＭ検波信号のピークと比較して十分に大きな値であればよい。
【００８８】
次に、過変調検知部４０および閾値変更部４１の動作例について図１０を用いて説明する。図１０は、過変調検知部４０および閾値変更部４１の動作例を示す図である。なお、同図の（Ａ）に示したＡＭ検波信号は、図８の（Ａ）に示したＡＭ検波信号と同一である。図１０の（Ａ）に示したように、過変調検知部４０は、ＡＭ検波信号のゼロ点である時間ｔ１〜ｔ４を検知し、検知結果を閾値変更部４１へ出力する。
【００８９】
つづいて、閾値変更部４１は、同図の（Ｂ）に示したように、ゼロ点を中心とする所定期間におけるＦＭノイズ閾値を通常よりも高い値へ変更する。たとえば、同図の（Ｂ）に示した場合には、ゼロ点ｔ１を中心とする時間ｔ１ａ〜時間ｔ１ｂの期間において適用されるＦＭノイズ閾値を通常のＶｔｈｆよりも高いＶｔｈｆ’へ変更する。
【００９０】
これにより、ＦＭノイズ閾値Ｖｔｈｆ’が、ＡＭ検波信号の位相反転に起因するピークよりも高くなり、ＦＭノイズ検出部３４が、かかるピークをＦＭノイズとして検出しなくなる。このため、同図の（Ｃ）に示したように、ゼロ点ｔ１〜ｔ４を中心とする各所定期間において、ブランク処理実行のトリガとなるハイレベル信号が出力されることもない。
【００９１】
このように、ＡＭ検波信号の位相が反転するタイミングを含む所定期間におけるＦＭノイズ閾値を通常より高い値に変更することで、ＡＭ検波信号の位相反転に起因するＦＭ検波信号のピークがＦＭノイズとして誤検出されることを防止できる。そして、この結果、実際にはノイズ成分がない区間においてブランク処理が実行されることがなくなるため、音声歪みの発生を抑えることができる。
【００９２】
なお、ＦＭ検波部３３から出力されたＦＭ検波信号に対してＦＭノイズ検出処理をリアルタイムに実行することとすると、ＦＭノイズの誤検出を適切に防止することができないおそれがある。これは、図１０の（Ｂ）に示したように、ゼロ点を中心としたピークが、ゼロ点より前のタイミングから現れ始めるためである。このため、ゼロ点が検知されてからＦＭノイズ閾値を変更したとしても、ゼロ点より前の信号部位によってＦＭノイズが誤検出されるおそれがある。
【００９３】
そこで、ＦＭノイズ検出部３４は、ゼロ点を中心としたピークを適切に除去するために、ＦＭ検波部３３から出力されるＦＭ検波信号を一定期間保持することによって、ＦＭノイズ検出処理を事後的に行うこととする。なお、かかる場合であっても、ＡＭノイズ検出部３２及びＦＭノイズ検出部３４が、同一タイミングのＡＭ検波レベル及びＦＭ検波レベル同士のノイズ検出結果を同時に出力することは言うまでもない。
【００９４】
ところで、これまでは、閾値変更部４１が、過変調検知部４０による過変調の検知結果に基づいてＦＭノイズ閾値を変更することで、ＦＭノイズ検出部３４によるＦＭノイズの誤検出を防止する場合について説明した。しかし、ＦＭノイズの誤検出を防止する手法は、これに限ったものではない。
【００９５】
たとえば、ＦＭ検波部３３によって検波されたＦＭ検波信号からＦＭノイズ誤検出の原因となるピークを除去する補正を行うことで、ＦＭノイズの誤検出を防止することとしてもよい。以下では、かかる点について図１１および図１２を用いて説明する。
【００９６】
図１１は、実施例３に係るノイズ検出部の他の内部構成を示すブロック図である。尚、図９に示したノイズ検出部２１Ｂと同一の構成については、同一符号を付すことで、その重複する構成及び動作の説明については省略する。
【００９７】
同図に示すように、ノイズ検出部２１Ｃは、閾値変更部４１に代えて、検波信号補正部４２を備えている。検波信号補正部４２は、過変調検知部４０による過変調の検知結果に基づき、ＦＭ検波部３３によって検波されたＦＭ検波信号のＦＭ検波レベルを補正する処理部である。
【００９８】
具体的には、検波信号補正部４２は、過変調検知部４０からゼロ点の検知結果が入力されると、ゼロ点を含む所定期間において検波されたＦＭ検波信号のＦＭ検波レベルに対して「０」を掛け合わせることによってＦＭ検波信号のＦＭ検波レベルを「０」に補正する。かかる補正によって、ＦＭノイズ誤検出の原因となるゼロ点を中心としたピークが除去される。
【００９９】
なお、ＦＭ検波部３３から出力されたＦＭ検波信号をリアルタイムに補正することとすると、ＦＭノイズの誤検出を適切に防止することができないおそれがある。これは、ＦＭノイズ誤検出の原因となるゼロ点を中心としたピークが、ゼロ点より前のタイミングから現れ始めるからである。
【０１００】
そこで、検波信号補正部４２は、ゼロ点を中心としたピークを適切に除去するために、ＦＭ検波部３３から出力されるＦＭ検波信号を一定期間保持し、事後的に補正することとしている。なお、かかる場合であっても、ＡＭノイズ検出部３２及びＦＭノイズ検出部３４が、同一タイミングのＡＭ検波レベル及びＦＭ検波レベル同士のノイズ検出結果を同時に出力することは言うまでもない。
【０１０１】
また、検波信号補正部４２は、補正後の検波信号をＦＭノイズ検出部３４へ出力する処理も行う。
【０１０２】
次に、過変調検知部４０および検波信号補正部４２の動作例について図１２を用いて説明する。図１２は、過変調検知部４０および検波信号補正部４２の動作例を示す図である。なお、同図の（Ａ）に示したＡＭ検波信号は、図８の（Ａ）に示したＡＭ検波信号と同一である。図１２の（Ａ）に示したように、過変調検知部４０は、ＡＭ検波信号のゼロ点である時間ｔ１〜ｔ４を検知し、検知結果を検波信号補正部４２へ出力する。
【０１０３】
また、同図の（Ｂ）に示したように、検波信号補正部４２は、ゼロ点を中心とする所定期間において検波されたＦＭ検波信号のＦＭ検波レベルに対して「０」を掛け合わせる。たとえば、ゼロ点ｔ１が検知された場合には、ゼロ点ｔ１を中心とする時間ｔ１ａ〜時間ｔ１ｂの期間において検波されたＦＭ検波信号のＦＭ検波レベルに対して「０」を掛け合わせる。
【０１０４】
これにより、同図の（Ｃ）に示したように、ゼロ点を中心とする所定期間において検波されたＦＭ検波信号のＦＭ検波レベルが「０」となり、ＦＭノイズ誤検出の原因となるゼロ点を中心とするピークを除去することができる。
【０１０５】
このように、ＡＭ検波信号の位相が反転するタイミングを含む所定期間において検波されたＦＭ検波信号からゼロ点を中心とするピークを除去することで、ＦＭノイズの誤検出を防止することができる。そして、この結果、実際にはノイズ成分がない区間においてブランク処理が実行されることがなくなり、音声歪みの発生を抑えることができる。
【０１０６】
なお、ここでは、ＦＭ検波信号に対して所定の乗数を掛け合わせることによってゼロ点を中心としたピークを除去する場合について説明したが、これに限ったものではなく、検波信号補正部４２は、ゼロ点を中心とする期間において検波されたＦＭ検波信号のＦＭ検波レベルをあらかじめ設定された値へ置換することとしてもよい。ここで、あらかじめ設定された値は、たとえば、「０」であってもよいし、ＦＭ検波レベルの定常値であってもよい。
【０１０７】
上述してきたように、実施例３では、過変調検知部が、ＡＭ検波信号の位相が反転するタイミングを検知し、閾値変更部が、過変調検知部によって検知されたタイミングを含む所定期間において検波されたＦＭ検波信号に対して適用されるＦＭノイズ閾値を変更することとした。したがって、ＦＭノイズの誤検出を防止することができ、この結果、音声歪みの発生を抑えることができる。
【０１０８】
また、実施例３では、過変調検知部が、ＡＭ検波信号の位相が反転するタイミングを検知し、ＦＭ検波信号補正部が、過変調検知部によって検知されたタイミングを含む所定期間において検波されたＦＭ検波信号のＦＭ検波レベルを補正することとした。したがって、これによってもＦＭノイズの誤検出を防止することができ、この結果、音声歪みの発生を抑えることができる。
【０１０９】
なお、上述してきた各実施例では、第１ブランク処理の除去対象区間Ｘ１に比較して第２ブランク処理の除去対象区間Ｘ２を短めに設定することで、第２ブランク処理を音声歪み抑制重視のブランク処理とした。しかしながら、第１ブランク処理に要する処理時間に比較して第２ブランク処理に要する処理時間を短めに設定することで、第２ブランク処理を音声歪み抑制重視のブランク処理として使用することも可能である。
【０１１０】
更に、上述してきた各実施例では、ＩＦ信号(オーディオ信号)のノイズ成分を除去する際にブランク処理を採用したが、ノイズ成分を除去する他の処理方法を採用したとしても同様の効果が得られることは言うまでもない。
【０１１１】
また、各実施例では、ラジオ受信機を例に挙げて説明したが、テレビ受信機等に採用しても良い。
【０１１２】
また、各実施例では、ＡＭノイズ検出部３２及びＦＭノイズ検出部３４の検出結果に基づき放送信号のノイズ有無を判断するようにした。しかしながら、ＡＭノイズ検出部３２及びＦＭノイズ検出部３４のノイズ検出結果を要することなく、ＡＭ検波部３１のＡＭ検波信号及びＦＭ検波部３３のＦＭ検波信号に基づき、放送信号のノイズ有無を判断するようにしても良い。
【０１１３】
また、各実施例では、図６に示すように、ＡＭノイズ検出部３２のハイレベル信号及びＦＭノイズ検出部３４のローレベル信号を同時検出すると、放送信号内に中程度のノイズが有ると判断した制御信号又はハイレベル信号を出力した。尚、ＡＭノイズ検出部３２のハイレベル信号及びＦＭノイズ検出部３４のローレベル信号を同時検出した場合とは、実際にはノイズ成分の混入がないものの、変調成分等の影響でＡＭ検波レベルがＡＭノイズ閾値Ｖｔｈａ以上と判定された場合のノイズ状況である。その結果、ブランク処理部１４Ａは、実際にはノイズ成分がないにもかかわらず、ＩＦ信号に対して、音声歪み抑制重視の第２ブランク処理を実行することになる。
【０１１４】
そこで、他の実施例として、図１３に示すように、ＡＭノイズ検出部３２のハイレベル信号及びＦＭノイズ検出部３４のローレベル信号を同時検出した場合、放送信号内にノイズが無いと判断した制御信号又はローレベル信号を出力するようにしても良い。この場合、ブランク処理部１４Ａ及び１７Ａは、放送信号内にノイズが無いと判断した制御信号又はローレベル信号を検出すると、ブランク処理の実行を禁止することになる。
【０１１５】
また、図示した各部の各構成要素は、必ずしも物理的に図示の如く構成されていることを要しない。すなわち、各部の分散・統合の具体的形態は図示のものに限られず、その全部又は一部を、各種の負荷や使用状況等に応じて、任意の単位で機能的又は物理的に分散・統合して構成することができる。
【符号の説明】
【０１１６】
１  放送受信装置
１１  受信アンテナ
１４Ａ  ブランク処理部
１７Ａ  ブランク処理部
２１  ノイズ検出部
２１Ａ  ノイズ検出部
３１  ＡＭ検波部
３２  ＡＭノイズ検出部
３３  ＦＭ検波部
３４  ＦＭノイズ検出部
３５  ノイズ判断部
３５Ａ  ノイズ判断部
３６  アンド部
３７  オア部
４０  過変調検知部
４１  閾値変更部
４２  検波信号補正部
【図１】
2011188467.tif 000003
【図２】
2011188467.tif 000004
【図３】
2011188467.tif 000005
【図４】
2011188467.tif 000006
【図５】
2011188467.tif 000007
【図６】
2011188467.tif 000008
【図７】
2011188467.tif 000009
【図８】
2011188467.tif 000010
【図９】
2011188467.tif 000011
【図１０】
2011188467.tif 000012
【図１１】
2011188467.tif 000013
【図１２】
2011188467.tif 000014
【図１３】
2011188467.tif 000015
【図１４】
2011188467.tif 000016